【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
受信装置（ＲＥＣ）によって受信したデジタル・データ・パケットのストリームの基本メディアコンテンツにマークを付ける方法であり、前記受信装置（ＲＥＣ）は、少なくとも１つのプロセッサ（ＣＰＵ）、メモリ（Ｍ）、デスクランブラ（ＤＳＣ）、基本メディア・コンテンツ・パケットのシーケンスを生成するデコーダモジュール（ＤＥＣ）を備え、前記受信装置（ＲＥＣ）は更に、前記受信装置（ＲＥＣ）に関連する内部パラメータ（ＵＡ）により規定されるパターンに従って、基本メディア・コンテンツ・パケットの前記シーケンスのデータを変更することによってマークを付けるように構成されたマーカーユニット（ＭＵ）を備える方法であって、
前記マーカーユニット（ＭＵ）によって、基本メディア・コンテンツ・パケットの前記シーケンスにおいて、所定の長さであって前記シーケンスの所定の位置で開始する少なくとも１つのセグメント（Ｔ）を決定するステップと、
少なくとも１つの基本メディア・コンテンツ・パケットの全部又は一部のデータを含む所定の数（Ｎ）の連続ウインドウに前記セグメント（Ｔ）を分割するステップと、
を含む方法において、
基本メディア・コンテンツ・パケットの前記シーケンスにおいて規定された前記セグメント（Ｔ）の各ウインドウにインデックスを付けるステップであって、各インデックスは前記セグメント（Ｔ）のウインドウの位置を規定するステップと、
数学的変換機能を適用することによって前記内部パラメータ（ＵＡ）をコード化して、結果として生じるビットストリングを得るステップと、
前記結果として生じたビットストリングの前記最初の所定の数（Ｗ）のバイトの各々にモジュロ（Ｎ）演算子を適用することにより前記結果として生じたビットストリングの全体又は一部に基づいて所定の数（Ｗ）のウインドウの位置インデックスを算出するステップであって、前記所定の数のウインドウ（Ｗ）は、前記セグメント（Ｔ）のウインドウの前記数（Ｎ）より少ないステップと、
検出可能なひずみを生じるグリッチを加えることにより前記算出された位置インデックスにより示される前記ウインドウのデータを変更するステップであって、前記グリッチを含む前記ウインドウ及びオリジナルデータを含む前記ウインドウは、基本メディア・コンテンツ・パケットの前記セグメント（Ｔ）の中に、前記受信装置（ＲＥＣ）に関連する前記内部パラメータ（ＵＡ）を表す固有パターンを形成するステップと、
シーケンスの前記セグメント（Ｔ）の前記所定の開始位置を、前記算出位置インデックスにより示される前記ウインドウの前記追加されたグリッチによって生じる検出可能なひずみとは別の検出可能なひずみを生じる開始コード（ＳＣ）とマークさせるステップと、
前記グリッチの追加によって変更されたデータを含むウインドウを含む前記少なくとも１つのセグメント（Ｔ）を含む基本メディアパケットの少なくとも１つのシーケンスを含む基本メディア・コンテンツ・データ・パケットを出力するステップと、
を更に含むことを特徴とする方法。
【請求項２】
基本メディアパケットの前記シーケンスは、圧縮されていない基本メディアサンプルのシーケンスを含むことを特徴とする請求項１に記載の方法。
【請求項３】
基本メディアパケットの前記シーケンスは、パケット化されて圧縮された基本メディアのシーケンスを含むことを特徴とする請求項１に記載の方法。
【請求項４】
基本メディアパケットの前記シーケンスは、パケット化されてスクランブル化された基本メディアのシーケンスを含むことを特徴とする請求項１に記載の方法。
【請求項５】
前記検出可能なひずみが、オーディオデータの場合にはサイレンスグリッチに、又はビデオデータの場合には画素のひずんだブロックに対応することを特徴とする請求項１に記載の方法。
【請求項６】
付加的なパラメータ（Ｐａｒａｍ）は、前記数学的変換機能を適用する前に前記内部パラメータ（ＵＡ）に連結されて、前記位置インデックスは、前記付加的なパラメータ（Ｐａｒａｍ）に連結された前記変換された内部パラメータ（ＵＡ）を表す前記ビットストリングに基づいて算出されることを特徴とする請求項１に記載の方法。
【請求項７】
前記内部パラメータ（ＵＡ）に加えて構成記述子を前記マーカーユニット（ＭＵ）によって受信するステップを更に含み、前記構成記述子は、前記セグメント（Ｔ）長又は期間、前記セグメント（Ｔ）の中のウインドウの数（Ｎ）、変更された基本メディアデータを含むウインドウの数（Ｗ）、ウインドウの中の前記検出可能なひずみの期間、前記数学的変換機能を適用する前に前記内部パラメータに連結される前記付加的なパラメータ（Ｐａｒａｍ）を規定するパラメータを少なくとも含むことを特徴とする請求項１〜６のいずれか１項に記載の方法。
【請求項８】
前記付加的なパラメータ（Ｐａｒａｍ）は、前記構成記述子の前記パラメータのチェックサム、前記内部パラメータ（ＵＡ）をコード化するために用いる一種の数学的変換機能のインジケータ、又は前記セグメント（Ｔ）の前記コンテンツに関連したその他の情報を含むことを特徴とする請求項１〜７のいずれか１項に記載の方法。
【請求項９】
前記数学的変換機能は、ＳＨＡタイプの暗号ハッシュ関数を含むことを特徴とする請求項１〜８のいずれか１項に記載の方法。
【請求項１０】
算出位置インデックスにより示されるウインドウにおいて変更された前記メディアデータは、前記デスクランブラ（ＤＳＣ）によって意図的にスクランブル化されたデータを含むことを特徴とする請求項１〜９のいずれか１項に記載の方法。
【請求項１１】
デジタル・データ・パケットのストリームの基本メディアコンテンツにマークを付けるように構成された受信装置（ＲＥＣ）であって、
前記受信装置（ＲＥＣ）は、少なくとも１つのプロセッサ（ＣＰＵ）、メモリ（Ｍ）、デスクランブラ（ＤＳＣ）、及び基本メディア・コンテンツ・パケットのシーケンスを生成するように構成されたデコーダモジュール（ＤＥＣ）を備え、
前記受信装置（ＲＥＣ）は更に、前記受信装置（ＲＥＣ）に関連する内部パラメータ（ＵＡ）により規定されるパターンに従って、基本メディア・コンテンツ・パケットの前記シーケンスのデータを変更することによってマークを付けるように構成されたマーカーユニット（ＭＵ）を備え、
前記マーカーユニット（ＭＵ）は、
基本メディア・コンテンツ・パケットの前記シーケンスにおいて、所定の長さであって前記シーケンスの所定の位置で開始する少なくとも１つのセグメント（Ｔ）を決定し、そして
少なくとも１つの基本メディア・コンテンツ・パケットの全部又は一部のデータを含む所定の数（Ｎ）の連続ウインドウに前記セグメント（Ｔ）を分割するように構成されて、
前記マーカーユニット（ＭＵ）は、
基本メディア・コンテンツ・パケットの前記シーケンスにおいて規定された前記セグメント（Ｔ）の各ウインドウにインデックスを付け、各インデックスは前記セグメント（Ｔ）のウインドウの位置を規定しており、
数学的変換機能を適用することによって前記内部パラメータ（ＵＡ）をコード化して、結果として生じるビットストリングを得て、
前記結果として生じたビットストリングの前記最初の所定の数（Ｗ）のバイトの各々にモジュロ（Ｎ）演算子を適用することにより前記結果として生じたビットストリングの全体又は一部に基づいて所定の数（Ｗ）のウインドウの位置インデックスを算出し、前記所定の数のウインドウ（Ｗ）は、前記セグメント（Ｔ）のウインドウの前記数（Ｎ）より少なく、
検出可能なひずみを生じるグリッチを加えることにより前記算出された位置インデックスにより示される前記ウインドウのデータを変更し、前記グリッチを含む前記ウインドウ及びオリジナルデータを含む前記ウインドウは、基本メディア・コンテンツ・パケットの前記セグメントの中に、前記受信装置（ＲＥＣ）に関連する前記内部パラメータ（ＵＡ）を表す固有パターンを形成し、
シーケンスの前記セグメント（Ｔ）の前記所定の開始位置を、前記算出位置インデックスにより示される前記ウインドウの前記追加されたグリッチによって生じる検出可能なひずみとは別の検出可能なひずみを生じる開始コード（ＳＣ）とマークさせ、そして
前記グリッチの追加によって変更されたデータを含むウインドウを含む前記少なくとも１つのセグメント（Ｔ）を含む基本メディアパケットの少なくとも１つのシーケンスを含む基本メディア・コンテンツ・データ・パケットを出力するように更に構成されることを特徴とする受信装置（ＲＥＣ）。
【請求項１２】
前記マーカーユニット（ＭＵ）は、前記デコーダモジュール（ＤＥＣ）の後に若しくは前記デスクランブラモジュール（ＤＳＣ）の後に局所化されるか、又は前記デスクランブラモジュール（ＤＳＣ）に組み込まれることを特徴とする請求項１１に記載の受信装置（ＲＥＣ）。
【請求項１３】
前記検出可能なひずみは、オーディオデータの場合にはサイレンスグリッチに、又はビデオデータの場合には画素のひずんだブロックに対応することを特徴とする請求項１１又は１２に記載の受信装置（ＲＥＣ）。
【手続補正２】
【補正対象書類名】明細書
【補正対象項目名】００１３
【補正方法】変更
【補正の内容】
【００１３】
この目的は、受信装置により受信されるデジタル・データ・パケットのストリームの基本メディアコンテンツにマークを付ける方法により達成される。受信装置は、少なくとも１つのプロセッサ、メモリ、デスクランブラ、基本メディア・コンテンツ・パケットのシーケンスを生成するデコーダモジュールを備え、受信装置は更に、受信装置に関連する内部パラメータにより規定されるパターンに従って、基本メディア・コンテンツ・パケットのシーケンスのデータを変更することによってマークを付けるように構成されたマーカーユニットを備える。
この方法は、
マーカーユニットによって、基本メディア・コンテンツ・パケットのシーケンスにおいて、所定の長さであってシーケンスの所定の位置で開始する少なくとも１つのセグメントを決定するステップと、
少なくとも１つの基本メディア・コンテンツ・パケットの全部又は一部のデータを含む所定の数の連続ウインドウにセグメントを分割するステップとを含み、
この方法は、更に、
基本メディア・コンテンツ・パケットのシーケンスにおいて規定されたセグメントの各ウインドウにインデックスを付けるステップであって、各インデックスはセグメントのウインドウの位置を規定するステップと、
数学的変換機能を適用することによって内部パラメータをコード化して、結果として生じるビットストリングを得るステップと、
結果として生じたビットストリングの最初の所定の数のバイトの各々にモジュロ演算子を適用することにより結果として生じたビットストリングの全体又は一部に基づいて所定の数のウインドウの位置インデックスを算出するステップであって、所定の数のウインドウは、セグメントのウインドウの数より少ないステップと、
検出可能なひずみを生じるグリッチを加えることにより算出された位置インデックスにより示されるウインドウのデータを変更するステップであって、グリッチを含むウインドウ及びオリジナルデータを含むウインドウは、基本メディア・コンテンツ・パケットのセグメントの中に、受信装置に関連する内部パラメータを表す固有パターンを形成するステップと、
シーケンスのセグメントの所定の開始位置を、算出位置インデックスにより示されるウインドウの追加されたグリッチによって生じる検出可能なひずみとは別の検出可能なひずみを生じる開始コードとマークさせるステップと、
グリッチの追加によって変更されたデータを含むウインドウを含む少なくとも１つのセグメントを含む基本メディアパケットの少なくとも１つのシーケンスを含む基本メディア・コンテンツ・データ・パケットを出力するステップと、
を含むことを特徴とする。
【手続補正３】
【補正対象書類名】明細書
【補正対象項目名】００１４
【補正方法】変更
【補正の内容】
【００１４】
本発明の更なる目的は、デジタル・データ・パケットのストリームの基本メディアコンテンツにマークを付けるように構成された受信装置から成り、受信装置は、少なくとも１つのプロセッサ、メモリ、デスクランブラ、及び基本メディア・コンテンツ・パケットのシーケンスを生じるように構成されたデコーダモジュールを含み、受信装置は、更に、受信装置に関連する内部パラメータにより規定されるパターンに従って、基本メディア・コンテンツ・パケットのシーケンスのデータを変更することによってマークを付けるように構成されるマーカーユニットを備え、
マーカーユニットは、
基本メディア・コンテンツ・パケットのシーケンスにおいて、所定の長さであってシーケンスの所定の位置で開始する、少なくとも１つのセグメントを決定し、
少なくとも１つの基本メディア・コンテンツ・パケットの全部又は一部のデータを含む所定の数の連続ウインドウに分割するように構成され、
マーカーユニットは更に、
基本メディア・コンテンツ・パケットのシーケンスに規定されるセグメントの各ウインドウにインデックスを付け、各インデックスはセグメントのウインドウの位置を規定し、
数学的変換機能を適用することによって内部パラメータをコード化して、結果として生じるビットストリングを取得し、
結果として生じたビットストリングの最初の所定の数のバイトの各々にモジュロ演算子を適用することにより結果として生じたビットストリングの全体又は一部に基づいて所定の数のウインドウの位置インデックスを算出し、所定の数のウインドウ）は、セグメントのウインドウの数より少なく、
検出可能なひずみを生じるグリッチを加えることにより算出された位置インデックスにより示されるウインドウのデータを変更し、グリッチを含むウインドウ及びオリジナルデータを含むウインドウは、基本メディア・コンテンツ・パケットのセグメントの中に、受信装置に関連する内部パラメータを表す固有パターンを形成し、
シーケンスのセグメントの所定の開始位置を、算出位置インデックスにより示されるウインドウの追加されたグリッチによって生じる検出可能なひずみとは別の検出可能なひずみを生じる開始コードとマークさせ、
グリッチの追加によって変更されたデータを含むウインドウを含む少なくとも１つのセグメントを含む基本メディアパケットの少なくとも１つのシーケンスを含む基本メディア・コンテンツ・データ・パケットを出力するように更に構成されることを特徴とする。